(57)【特許請求の範囲】
【請求項１】
商品を収める収納部と、該収納部の開口部を閉塞する内フラップと、蓋部とを設けた個装箱であって、
前記収納部における前記開口部近傍に形成され、先端部にロック用係止片を備えた差込部と、
前記蓋部に形成され、前記ロック用係止片に指を掛けるための指掛け用の切欠と、
前記蓋部における前記ロック用係止片と対応する位置に前記切欠の縁部に沿って形成された係止孔と、
前記切欠内に前記蓋部から切り離さずに形成され、先端部が前記蓋部の中央側へ延設されたガイド部と、
を有し、前記内フラップは前記係止孔へ挿入された前記ロック用係止片と対向する部位まで延設されていることを特徴とする個装箱。
【請求項２】
前記内フラップと前記ガイド部との間に保証書を入れたことを特徴とする請求項１に記載の個装箱。
【発明の詳細な説明】
【０００１】
【発明の属する技術分野】
本発明は個装箱に係り、特にデジタルカメラ等の梱包に適用される個装箱に関する。
【０００２】
【従来の技術】
近年、工業製品、特にデジタルカメラ、携帯電話、携帯音響機器等の小型化により、その個装箱も小さくなっている。また、個装箱自体のコストダウンも必要になっている。このため、従来の天面から全体的に開く上下分割型の個装箱から、図５に示される如く、個装箱１００の開口部１００Ａに設けた蓋部１００Ｂがドア式に開くサック箱への移行が進んでいる。
【０００３】
【発明が解決しようとする課題】
しかしながら、このような個装箱１００では、個装箱１００の小型化により開口部１００Ａの幅Ｗが狭くなっている。一方、個装箱１００の開口部１００Ａに挟み込むように挿入していた保証書等の書類１０２は、開口部１００Ａに近く、すぐ取り出せる内フラップ部に付けようとすると、これ以上小さくすることができないところまで小型化された状況にあり、更に個装箱１００には、蓋部１００Ｂが開かないように、係止孔１０４と、ロック用係止片１０６とからなるロック機構が付いている。このため、図６に示される如く、梱包時、ロック用係止片１０６が書類１０２に、書類１０２の側面から干渉し、書類１０２が損傷する恐れがでてきた。
【０００４】
本発明は上記事実を考慮し、個装箱を小型のサック箱とした場合にも、ロック用係止片と書類との干渉を防止できる個装箱を提供することを目的とする。
【０００５】
【課題を解決するための手段】
上記目的を達成するため、請求項１に記載の発明では、商品を収める収納部と、該収納部の開口部を閉塞する内フラップと、蓋部とを設けた個装箱であって、
前記収納部における前記開口部近傍に形成され、先端部にロック用係止片を備えた差込部と、
前記蓋部に形成され、前記ロック用係止片に指を掛けるための指掛け用の切欠と、
前記蓋部における前記ロック用係止片と対応する位置に前記切欠の縁部に沿って形成された係止孔と、
前記切欠内に前記蓋部から切り離さずに形成され、先端部が前記蓋部の中央側へ延設されたガイド部と、
を有し、前記内フラップは前記係止孔へ挿入された前記ロック用係止片と対向する部位まで延設されていることを特徴とする。
【０００６】
従って、個装箱の収納部に商品を納め、内フラップによって収納部の開口部を閉塞し、内フラップ上に保証書等の書類を乗せ、蓋部を閉じると、蓋部に形成された指掛け用の切欠内に蓋部から切り離さずに形成されたガイド部の先端部側が、書類に対してオーバーラップして蓋部側の位置となる。この結果、差込部のロック用係止片を、蓋部に形成された係止孔に挿入すると、ロック用係止片は、ガイド部によってガイドされ、書類と蓋部との間に挿入される。このため、個装箱を小型のサック箱とした場合にも、梱包時、ロック用係止片が書類に側面から干渉し、書類が損傷するのを防止できる。また、蓋部の一部を切り離さずにガイド部を形成することで、材料を有効に使うことができ、コストを低減できる。さらに、ロック用係止片と対向する部位まで内フラップが延設されているため、内フラップにより書類を支持することで、書類に皺等が発生するのを防止できる。
【０００７】
請求項２に記載の発明は、請求項１に記載の個装箱において、前記内フラップと前記ガイド部との間に保証書を入れたことを特徴とする。
【０００８】
従って、請求項１に記載の内容に加えて、内フラップとガイド部との間に保証書を入れたことで、個装箱を小型のサック箱とした場合にも、梱包時、ロック用係止片が保証書に側面から干渉し、保証書が損傷するのを防止できる。
【００１１】
【発明の実施の形態】
図１には、本実施形態に係る個装箱１０が示されており、この個装箱１０内には、デジタルカメラ、携帯電話、携帯音響機器等の小型で薄型の商品が収められるようになっている。
【００１２】
図３に示される如く、個装箱１０は、所謂サック箱となっており、収納部１２は矩形等の筒状で、図示を省略した下方側端部には周知の底部が形成されている。また、収納部１２の開口部１４における一方の対向する辺１６、１８には、それぞれ、開口部１４を略半分づつ閉塞する内フラップ２０、２２が形成されている。
【００１３】
図１に示される如く、収納部１２の開口部１４における他方の対向する辺２４、２６の一方の辺２４には、内フラップ２０、２２の外側から開口部１４を閉塞する蓋部２８が形成されている。また、前記対向する辺２４、２６の他方の辺２６における長手方向中央部には、差込部３０が形成されており、この差込部３０における先端部にはロック用係止片３２が形成されている。なお、差込部３０におけるロック用係止片３２と対向する部位には、内フラップ２０、２２が延設されている。
図２に示される如く、差込部３０のロック用係止片３２と対応する蓋部２８の位置には、係止孔３４が形成されている。また、係止孔３４は、蓋部２８の係止孔３４からロック用係止片３２を外す際に、ロック用係止片３２に指を掛けるための指掛け用の切欠３３の縁部に沿って形成されており、切欠３３の縁部の上方から見た形状は円弧状で指がかけ易くなっている。
【００１４】
図１に示される如く、蓋部２８における切欠３３内の部位には、ガイド部３６が一体的に形成されており、ガイド部３６の先端部３６Ａは蓋部２８の中央２８Ａ方向（矢印Ｘ方向）へ延設されている。また、ガイド部３６の根元部３６Ｂは、開口部１４における辺１６、１８、２４、２６（図４には辺２４のみ記載）に対して個装箱１０を構成するダンボール２枚分下方側へずれている。
【００１５】
従って、図４に示される如く、内フラップ２０、２２上に保証書等の書類４０を乗せ、蓋部２８を閉じ、差込部３０のロック用係止片３２を係止孔３４に挿入した場合には、ロック用係止片３２は、ガイド部３６によってガイドされ、書類４０と蓋部２８との間に挿入されるようになっている。
【００１６】
なお、図１に示される如く、蓋部２８に指掛け用の切欠３３を形成する際に、この部位を蓋部２８から切り離さずにガイド部３６を形成している。
【００１７】
次に、本実施形態の作用を説明する。
【００１８】
本実施形態では、個装箱１０の収納部１２に商品を納め、内フラップ２０、２２によって収納部１２の開口部１４を閉塞し、内フラップ２０、２２上に保証書等の書類４０を乗せ、蓋部２８を閉じると、図４に示される如く、蓋部２８に形成され、蓋部中央２６Ａ側へ延設されたガイド部３６が、書類４０に対してオーバーラップし、蓋部２８側の位置となる。
【００１９】
この結果、差込部３０のロック用係止片３２を、蓋部２８に形成された係止孔３４に挿入すると、ロック用係止片３２は、ガイド部３６によってガイドされ、書類４０と蓋部２８との間に確実に挿入される。このため、個装箱１０を小型で薄型のサック箱とした場合にも、梱包時、ロック用係止片３２が書類４０にその側面から干渉し、図６に示す従来技術のように書類が損傷するのを防止できる。
【００２０】
また、本実施形態では、蓋部２８に指掛け用の切欠３３を形成する際に、この部位を蓋部２８から切り離さずにガイド部３６を形成しているため、個装箱１０の材料を効率良く使うことができ、コストを低減できる。
【００２１】
また、本実施形態では、差込部３０におけるロック用係止片３２と対向する部位に内フラップ２０、２２が延設されているため、内フラップ２０、２２により書類４０を支持することで、書類２０に皺等が発生するのを防止できる。
【００２２】
以上に於いては、本発明を特定の実施形態について詳細に説明したが、本発明はかかる実施形態に限定されるものではなく、本発明の範囲内にて他の種々の実施形態が可能であることは当業者にとって明らかである。例えば、収納部１２の底部を上記構成と同じ構成としても良い。
【００２３】
【発明の効果】
本発明は、上記構成としたので、請求項１に記載の発明では、個装箱をサック箱型で小型化で薄型化した場合にも、係止片と書類との干渉を防止できるという優れた効果を有する。また、材料を効率的に使用でき、コストを低減できるという優れた効果を有する。さらに、書類に皺等が発生するのを防止できるという優れた効果を有する。
【００２４】
また、請求項２に記載の発明では、個装箱をサック箱型で小型化で薄型化した場合にも、係止片と保証書との干渉を防止できるという優れた効果を有する。また、材料を効率的に使用でき、コストを低減できるという優れた効果を有する。さらに、保証書に皺等が発生するのを防止できるという優れた効果を有する。
【図面の簡単な説明】
【図１】  本発明の一実施形態に係る個装箱の梱包途中における外観の一部を示す斜視図である。
【図２】  本発明の一実施形態に係る個装箱の梱包後における外観の一部を示す斜視図である。
【図３】  本発明の一実施形態に係る個装箱の梱包途中における外観の一部を示す斜視図である。
【図４】  図２の４−４線に沿った断面図である。
【図５】  従来の個装箱の梱包途中における外観の一部を示す斜視図である。
【図６】  従来の個装箱を示す図４に対応する断面図である。
【符号の説明】
１０    個装箱
１２    収納部
１４    開口部
２０    内フラップ
２２    内フラップ
２８    蓋部
３０    差込部
３２    ロック用係止片
３３    指掛け用の切欠
３４    係止孔
３６    ガイド部
３６Ａ    ガイド部の先端部
３６Ｂ    ガイド部の根元部
【図１】
0004220693.tif 000002
【図２】
0004220693.tif 000003
【図３】
0004220693.tif 000004
【図４】
0004220693.tif 000005
【図５】
0004220693.tif 000006
【図６】
0004220693.tif 000007